(57)【要約】  磁気浮上テストシステム及び電磁石テスト方法であって、車載コントローラ試験台（１０２）、電磁石コントローラ試験台（１０４）及び電磁石試験台（１０６）が集積された磁気浮上テストシステムによって、車載コントローラ（１０２４）、電磁石コントローラ及び電磁石に対して共同テストを行い、列車の運転状況を模倣できるとともに、模倣された列車の運転状況で車載コントローラ（１０２４）、電磁石コントローラ及び電磁石に対して共同テストを行い、これにより、車載コントローラ（１０２４）、電磁石コントローラ及び電磁石に対して機能検証を行い、車載コントローラ（１０２４）、電磁石コントローラ及び電磁石が同時に使用される時の故障率を下げる。
2021518918.tif 000002
【特許請求の範囲】
【請求項１】
中央制御ユニット、車載コントローラ試験台、電磁石コントローラ試験台、及び電磁石試験台を含み、
前記中央制御ユニットはそれぞれ、車載コントローラ試験台、電磁石コントローラ試験台、及び電磁石試験台に接続し、前記車載コントローラ試験台は電磁石コントローラ試験台に接続し、前記電磁石コントローラ試験台は前記電磁石試験台に接続し、
前記電磁石試験台に電磁石が装着され、
前記中央制御ユニットは、前記車載コントローラ試験台に制御指令を送るためのものであり、
前記車載コントローラ試験台は、前記制御指令を前記電磁石コントローラ試験台に送信するためのものであり、
前記電磁石コントローラ試験台は、前記制御指令に応じて電磁石テスト指令を生成し、前記電磁石試験台に装着された電磁石をテストするためのものであり、
前記電磁石試験台は、前記電磁石コントローラ試験台から送られた前記電磁石テスト指令を実行し、装着された前記電磁石をテストするためのものである、
ことを特徴とする磁気浮上テストシステム。
【請求項２】
前記車載コントローラ試験台は、車載コントローラ試験台制御キャビネット、車載コントローラ取付台、及び車載コントローラを含み、
前記車載コントローラは前記車載コントローラ取付台に装着され、
前記車載コントローラ試験台制御キャビネットは、前記中央制御ユニットから送られた制御指令を前記車載コントローラに送信するためのものであり、
前記車載コントローラは、前記制御指令を電磁石コントローラ試験台に送信するためのものである、
ことを特徴とする請求項１に記載の磁気浮上テストシステム。
【請求項３】
前記電磁石コントローラ試験台は、電磁石コントローラテスト台、第１高圧直流電源給電キャビネット、電磁石コントローラ制御キャビネット、負荷キャビネット、カットスイッチキャビネット及び電磁石コントローラを含み、
前記電磁石コントローラテスト台はそれぞれ、電磁石コントローラ制御キャビネット及びカットスイッチキャビネットに接続し、前記カットスイッチキャビネットはさらにそれぞれ、前記電磁石コントローラ制御キャビネット及び前記負荷キャビネットに接続し、
前記電磁石コントローラは、浮上コントローラ、案内コントローラ及び制動コントローラを含み、前記浮上コントローラ、案内コントローラ及び制動コントローラはそれぞれ、前記電磁石コントローラテスト台に装着され、
前記第１高圧直流電源給電キャビネットはそれぞれ、前記電磁石コントローラテスト台及び前記電磁石コントローラ制御キャビネットへ給電し、
前記電磁石コントローラテスト台は、前記車載コントローラから送信された前記制御指令を受信するとともに、前記制御指令を前記浮上コントローラ、前記案内コントローラ、または前記制動コントローラに送信することで、前記浮上コントローラ、前記案内コントローラ、または前記制動コントローラが、前記電磁石試験台に装着された、浮上電磁石、案内電磁石及び制動電磁石を含む電磁石を制御するためのものであり、磁気浮上列車の走行速度を模倣し、模倣して得た前記磁気浮上列車の走行速度を前記案内コントローラに送信するためのものである、
ことを特徴とする請求項２に記載の磁気浮上テストシステム。
【請求項４】
前記制御指令が第１フローティング指令である場合、前記第１フローティング指令は、浮上電磁石とロングステータとの間のギャップ値を搬送しており、
前記浮上コントローラは、
前記電磁石コントローラテスト台から送信された第１フローティング指令を受信した時に、ギャップ値と出力電圧との対応関係から、前記浮上電磁石とロングステータとの間のギャップ値に対応する出力電圧を特定するとともに、特定された前記出力電圧に応じて前記カットスイッチキャビネットを介して前記電磁石試験台の前記浮上電磁石へ給電することで、前記浮上電磁石と前記ロングステータとの間のギャップを、前記第１フローティング指令が搬送する前記浮上電磁石とロングステータとの間のギャップ値に到達させるためのものであり、
前記浮上電磁石のフローティング時の速度、加速度及びギャップ値を取得するとともに、取得された前記浮上電磁石のフローティング時の速度、加速度及びギャップ値を前記車載コントローラに送信するためのものである、
ことを特徴とする請求項３に記載の磁気浮上テストシステム。
【請求項５】
前記制御指令が第２フローティング指令である場合、前記第２フローティング指令は、案内電磁石とロングステータとの間のギャップ値を搬送しており、
前記案内コントローラは、
前記電磁石コントローラテスト台から送信された第２フローティング指令を受信した時に、ギャップ値と出力電圧との対応関係から、前記案内電磁石とロングステータとの間のギャップ値に対応する出力電圧を特定するとともに、特定された前記出力電圧に応じて前記カットスイッチキャビネットを介して前記電磁石試験台の前記案内電磁石へ給電することで、前記案内電磁石と前記ロングステータとの間のギャップを、前記第２フローティング指令が搬送する前記案内電磁石とロングステータとの間のギャップ値に到達させるためのものであり、
前記案内電磁石のフローティング時の速度、加速度及びギャップ値を取得するとともに、取得された前記案内電磁石のフローティング時の速度、加速度及びギャップ値を前記車載コントローラに送信するためのものである、
ことを特徴とする請求項３に記載の磁気浮上テストシステム。
【請求項６】
前記制御指令が制動指令である場合、前記制動指令は、制動電磁石の制動レベルを搬送しており、
前記制動コントローラは、
前記電磁石コントローラテスト台から送信された制動指令を受信した時に、制動レベルと出力電圧との対応関係から、前記制動指令が搬送する制動レベルに対応する出力電圧を特定するとともに、特定された前記出力電圧に応じて前記カットスイッチキャビネットを介して前記電磁石試験台の前記制動電磁石へ給電することで、前記制動電磁石が、前記制動指令が搬送する制動レベルに応じて制動するためのものであり、
前記制動電磁石の制動時の速度、加速度及びギャップ値を取得するとともに、取得された前記制動電磁石の制動時の速度、加速度及びギャップ値を前記車載コントローラに送信するためのものである、ことを特徴とする請求項３に記載の磁気浮上テストシステム。
【請求項７】
前記電磁石試験台は、電磁石取付台、第２高圧直流電源給電キャビネット、電磁石制御キャビネット、浮上電磁石、案内電磁石及び制動電磁石を含み、
前記電磁石制御キャビネットはそれぞれ、前記電磁石取付台及び前記第２高圧直流電源給電キャビネットに接続し、前記第２高圧直流電源給電キャビネットは前記電磁石取付台に接続し、前記浮上電磁石、前記案内電磁石及び前記制動電磁石は、前記電磁石取付台に装着され、
前記電磁石制御キャビネットは、テスト過程における前記浮上電磁石、前記案内電磁石及び前記制動電磁石のモニタリング情報を取得するとともに、取得されたモニタリング情報を前記中央制御ユニットに送信するためのものであり、前記第２高圧直流電源給電キャビネットを、前記電磁石取付台の前記浮上電磁石、前記案内電磁石及び前記制動電磁石へ給電するように制御するためのものである、
ことを特徴とする請求項１に記載の磁気浮上テストシステム。
【請求項８】
上記請求項１〜７のいずれかに記載の磁気浮上テストシステムを使用するための電磁石テスト方法であって、
浮上コントローラによって、電磁石コントローラテスト台から送信された、浮上電磁石とロングステータとの間のギャップ値を搬送している第１フローティング指令を受信することと、
ギャップ値と出力電圧との対応関係から、前記浮上電磁石とロングステータとの間のギャップ値に対応する出力電圧を特定するとともに、特定された前記出力電圧に応じてカットスイッチキャビネットを介して前記電磁石試験台の前記浮上電磁石へ給電することで、前記浮上電磁石と前記ロングステータとの間のギャップを、前記第１フローティング指令が搬送する前記浮上電磁石とロングステータとの間のギャップ値に到達させることと、
前記浮上電磁石のフローティング時の速度、加速度及びギャップ値を取得するとともに、取得された前記浮上電磁石のフローティング時の速度、加速度及びギャップ値を車載コントローラに送信することと、
を含む、ことを特徴とする電磁石テスト方法。
【請求項９】
上記請求項１〜７のいずれかに記載の磁気浮上テストシステムを使用するための電磁石テスト方法であって、
案内コントローラによって、電磁石コントローラテスト台から送信された、案内電磁石とロングステータとの間のギャップ値を搬送している第２フローティング指令を受信することと、
ギャップ値と出力電圧との対応関係から、前記案内電磁石とロングステータとの間のギャップ値に対応する出力電圧を特定するとともに、特定された前記出力電圧に応じてカットスイッチキャビネットを介して前記電磁石試験台の前記案内電磁石へ給電することで、前記案内電磁石と前記ロングステータとの間のギャップを、前記第２フローティング指令が搬送する前記案内電磁石とロングステータとの間のギャップ値に到達させることと、
前記案内電磁石のフローティング時の速度、加速度及びギャップ値を取得するとともに、取得された前記案内電磁石のフローティング時の速度、加速度及びギャップ値を車載コントローラに送信することと、
を含む、ことを特徴とする電磁石テスト方法。
【請求項１０】
上記請求項１〜７のいずれかに記載の磁気浮上テストシステムを使用するための電磁石テスト方法であって、
制動コントローラによって、電磁石コントローラテスト台から送信された、制動電磁石の制動レベルを搬送している制動指令を受信することと、
制動レベルと出力電圧との対応関係から、前記制動指令が搬送する制動レベルに対応する出力電圧を特定するとともに、特定された前記出力電圧に応じてカットスイッチキャビネットを介して前記電磁石試験台の前記制動電磁石へ給電することで、前記制動電磁石が、前記制動指令が搬送する制動レベルに応じて制動することと、
前記制動電磁石の制動時の速度、加速度及びギャップ値を取得するとともに、取得された前記制動電磁石の制動時の速度、加速度及びギャップ値を車載コントローラに送信することと、
を含む、ことを特徴とする電磁石テスト方法。
【発明の詳細な説明】
【技術分野】
【０００１】
本出願は２０１９年０１月１４日にて中国特許庁に提出され、出願番号が２０１９１００３２３７２．５であり、発明名称が「磁気浮上テストシステム及び電磁石テスト方法」である発明特許出願の優先権を主張し、その全ての内容が援用されることで本出願に結合される。
本発明はデータ処理という技術的分野に関わり、具体的には、磁気浮上テストシステム及び電磁石テスト方法に関わる。
【背景技術】
【０００２】
現在、国内で運転している高速磁気浮上列車の最高運転速度は５０３ｋｍ／ｈに達し、超高速運転は、磁気浮上列車に使用される車載コントローラ、電磁石コントローラ及び電磁石がより高い性能を具備する要求があるので、研究、設計、生産及び試験等の点で、車載コントローラ、電磁石コントローラ及び電磁石への検出は重要である。
【発明の概要】
【発明が解決しようとする課題】
【０００３】
関連技術において、高速磁気浮上列車における車載コントローラ、電磁石コントローラ及び電磁石の試験装置がなく、車載コントローラ、電磁石コントローラ及び電磁石をテストできない。
【課題を解決するための手段】
【０００４】
上記問題を解決するために、本発明の実施例は、磁気浮上試験システム及び電磁石テスト方法を提供することを目的とする。
【０００５】
第１点、本発明の実施例は、中央制御ユニット、車載コントローラ試験台、電磁石コントローラ試験台、及び電磁石試験台を含み、
前記中央制御ユニットはそれぞれ、車載コントローラ試験台、電磁石コントローラ試験台、及び電磁石試験台に接続し、前記車載コントローラ試験台は電磁石コントローラ試験台に接続し、前記電磁石コントローラ試験台は前記電磁石試験台に接続し、
前記電磁石試験台に電磁石が装着され、
前記中央制御ユニットは、前記車載コントローラ試験台に制御指令を送るためのものであり、
前記車載コントローラ試験台は、前記制御指令を前記電磁石コントローラ試験台に送信するためのものであり、
前記電磁石コントローラ試験台は、前記制御指令に応じて電磁石テスト指令を生成し、前記電磁石試験台に装着された電磁石をテストするためのものであり、
前記電磁石試験台は、前記電磁石コントローラ試験台から送られた前記電磁石テスト指令を実行し、装着された前記電磁石をテストするためのものである磁気浮上テストシステムを提供する。
【０００６】
第２点、本発明の実施例はさらに、上記の磁気浮上テストシステムを使用するための電磁石テスト方法であって、
浮上コントローラによって、電磁石コントローラテスト台から送信された、浮上電磁石とロングステータとの間のギャップ値を搬送している第１フローティング指令を受信することと、
ギャップ値と出力電圧との対応関係から、前記浮上電磁石とロングステータとの間のギャップ値に対応する出力電圧を特定するとともに、特定された前記出力電圧に応じて前記カットスイッチキャビネットを介して前記電磁石試験台の前記浮上電磁石へ給電することで、前記浮上電磁石と前記ロングステータとの間のギャップを、前記第１フローティング指令が搬送する前記浮上電磁石とロングステータとの間のギャップ値に到達させることと、
前記浮上電磁石のフローティング時の速度、加速度及びギャップ値を取得するとともに、取得された前記浮上電磁石のフローティング時の速度、加速度及びギャップ値を車載コントローラに送信することと、を含む電磁石テスト方法を提供する。
【０００７】
第３点、本発明の実施例はさらに、上記の磁気浮上テストシステムを使用するための電磁石テスト方法であって、
案内コントローラによって、電磁石コントローラテスト台から送信された、案内電磁石とロングステータとの間のギャップ値を搬送している第２フローティング指令を受信することと、
ギャップ値と出力電圧との対応関係から、前記案内電磁石とロングステータとの間のギャップ値に対応する出力電圧を特定するとともに、特定された前記出力電圧に応じて前記カットスイッチキャビネットを介して前記電磁石試験台の前記案内電磁石へ給電することで、前記案内電磁石と前記ロングステータとの間のギャップを、前記第２フローティング指令が搬送する前記案内電磁石とロングステータとの間のギャップ値に到達させることと、
前記案内電磁石のフローティング時の速度、加速度及びギャップ値を取得するとともに、取得された前記案内電磁石のフローティング時の速度、加速度及びギャップ値を車載コントローラに送信することと、を含む電磁石テスト方法を提供する。
【０００８】
第４点、本発明の実施例はさらに、上記の磁気浮上テストシステムを使用するための電磁石テスト方法であって、
制動コントローラによって、電磁石コントローラテスト台から送信された、制動電磁石の制動レベルを搬送している制動指令を受信することと、
制動レベルと出力電圧との対応関係から、前記制動指令が搬送する制動レベルに対応する出力電圧を特定するとともに、特定された前記出力電圧に応じて前記カットスイッチキャビネットを介して前記電磁石試験台の前記制動電磁石へ給電することで、前記制動電磁石が、前記制動指令が搬送する制動レベルに応じて制動することと、
前記制動電磁石の制動時の速度、加速度及びギャップ値を取得するとともに、取得された前記制動電磁石の制動時の速度、加速度及びギャップ値を車載コントローラに送信することと、を含む電磁石テスト方法を提供する。
【０００９】
本発明の実施例の上記第１点〜第４点により提供される方案において、車載コントローラ試験台、電磁石コントローラ試験台及び電磁石試験台が集積された磁気浮上テストシステムによって、車載コントローラ、電磁石コントローラ及び電磁石に対して共同テストを行い、関連技術において車載コントローラ、電磁石コントローラ及び電磁石をテストできないことと比較すると、列車の運転状況を模倣できるとともに、模倣された列車の運転状況で車載コントローラ、電磁石コントローラ及び電磁石に対して共同テストを行い、これにより、車載コントローラ、電磁石コントローラ及び電磁石に対して機能検証を行い、車載コントローラ、電磁石コントローラ及び電磁石が同時に使用される時の故障率を下げる。
【００１０】
本発明の上記目的、特徴及び利点がより明瞭でわかりやすくすることができるようにさせるために、以下、特に好ましい実施例を挙げて添付の図面に合わせて、以下のように詳しく説明する。
【００１１】
本発明の実施例または従来技術における技術案をより明瞭に説明するために、以下、実施例または従来技術への記載に使用する必要がある図面を簡単に紹介し、明らかなように、以下の記載における図面は、本発明のいくつかの実施例だけであり、当業者にとって、創造的な労働を費やしない場合、さらにこれらの図面に応じて他の図面を得ることができる。
【図面の簡単な説明】
【００１２】
【図１】本発明の実施例に提供される磁気浮上テストシステムの構造模式図を示す。
【図２】本発明の実施例に提供される磁気浮上テストシステムにおける、浮上コントローラの通信フローチャートを示す。
【図３】本発明の実施例に提供される磁気浮上テストシステムにおける、案内コントローラの通信フローチャートを示す。
【図４】本発明の実施例に提供される磁気浮上テストシステムにおける、制動コントローラの通信フローチャートを示す。
【発明を実施するための形態】
【００１３】
現在、高速磁気浮上列車における車載コントローラ、電磁石コントローラ及び電磁石をテストできる試験装置がなく、車載コントローラ、電磁石コントローラ及び電磁石をテストできない。これに基づき、本実施例は、車載コントローラ、電磁石コントローラ及び電磁石に対して共同テストを行うことができる磁気浮上テストシステム及び電磁石テスト方法を提出する。
【実施例】
【００１４】
図１に示す磁気浮上テストシステムの構造模式図を参照すれば、本実施例が提出する磁気浮上テストシステムは、中央制御ユニット１００、車載コントローラ試験台１０２、電磁石コントローラ試験台１０４、及び電磁石試験台１０６を含む。
【００１５】
上記中央制御ユニット１００はそれぞれ、車載コントローラ試験台１０２、電磁石コントローラ試験台１０４、及び電磁石試験台１０６に接続し、上記車載コントローラ試験台１０２は電磁石コントローラ試験台１０４に接続し、上記電磁石コントローラ試験台１０４は上記電磁石試験台１０６に接続する。
【００１６】
上記電磁石試験台１０６に電磁石が装着される。
【００１７】
上記中央制御ユニット１００は、上記車載コントローラ試験台１０２に制御指令を送るためのものである。
【００１８】
上記車載コントローラ試験台１０２は、上記制御指令を上記電磁石コントローラ試験台１０４に送信するためのものである。
【００１９】
上記電磁石コントローラ試験台１０４は、上記制御指令に応じて電磁石テスト指令を生成し、上記電磁石試験台１０６に装着された電磁石をテストするためのものである。
【００２０】
上記電磁石試験台１０６は、上記電磁石コントローラ試験台１０４から送られた上記電磁石テスト指令を実行し、装着された上記電磁石をテストするためのものである。
【００２１】
１つの実施形態において、上記中央制御ユニット１００は、列車制御システムから送られた制御指令を模倣するとともに、テスト過程における電磁石の速度、加速度及びギャップ値を受信するためのものである。
【００２２】
上記中央制御ユニット１００について、従来技術において車載コントローラ試験台１０２、電磁石コントローラ試験台１０４、及び電磁石試験台１０６を制御できるいずれの計算装置を採用可能であり、ここでは、一々に贅言しない。
【００２３】
車載コントローラをテストするために、具体的には、上記車載コントローラ試験台１０２は、車載コントローラ試験台制御キャビネット１０２０、車載コントローラ取付台１０２２、及び車載コントローラ１０２４を含む。
【００２４】
上記車載コントローラ１０２４は上記車載コントローラ取付台１０２２に装着され、上記車載コントローラ取付台１０２２に、電磁石コントローラ試験台１０４における電磁石コントローラテスト台１０４０との電気接続インターフェースが設けられる。
【００２５】
上記車載コントローラ試験台制御キャビネット１０２０は、上記中央制御ユニット１００から送られた制御指令を上記車載コントローラ１０２４に送信するとともに、車載コントローラ１０２４の応答出力を監視するためのものである。
【００２６】
上記車載コントローラ１０２４は、上記制御指令を電磁石コントローラ試験台１０４に送信するためのものである。
【００２７】
１つの実施形態において、上記車載コントローラ１０２４は上記車載コントローラ取付台１０２２の電気接続インターフェースを通じて上記制御指令を電磁石コントローラ試験台１０４の電磁石コントローラテスト台１０４０に送信する。
【００２８】
上記電磁石コントローラ試験台１０４は、電磁石コントローラテスト台１０４０、第１高圧直流電源給電キャビネット１０４２、電磁石コントローラ制御キャビネット１０４４、負荷キャビネット１０４６、カットスイッチキャビネット１０４８及び電磁石コントローラを含む。
【００２９】
上記電磁石コントローラテスト台１０４０はそれぞれ、電磁石コントローラ制御キャビネット１０４４及びカットスイッチキャビネット１０４８に接続し、上記カットスイッチキャビネット１０４８はさらにそれぞれ、上記電磁石コントローラ制御キャビネット１０４４及び上記負荷キャビネット１０４６に接続する。
【００３０】
上記電磁石コントローラは、浮上コントローラ１０５０、案内コントローラ１０５２及び制動コントローラ１０５４を含み、上記浮上コントローラ１０５０、上記案内コントローラ１０５２及び上記制動コントローラ１０５４はそれぞれ、上記電磁石コントローラテスト台１０４０に装着される。
【００３１】
上記電磁石コントローラテスト台１０４０に、上記車載コントローラ取付台１０２２及び電磁石取付台１０６０との電気接続インターフェースが設けられる。これにより、電磁石コントローラテスト台１０４０は、上記車載コントローラ取付台１０２２との間の電気接続インターフェースを通じて、上記車載コントローラ１０２４から送られた制御指令を受信でき、さらに、上記電磁石取付台１０６０との間の電気接続インターフェースを通じて、電磁石コントローラから送られた、電磁石をテストするための制御指令を上記電磁石取付台に送信できる。
【００３２】
上記電磁石コントローラ制御キャビネット１０４４はそれぞれ、上記浮上コントローラ１０５０、上記案内コントローラ１０５２及び上記制動コントローラ１０５４に接続し、上記浮上コントローラ１０５０、上記案内コントローラ１０５２及び上記制動コントローラ１０５４の入力信号を制御し、上記浮上コントローラ１０５０、上記案内コントローラ１０５２及び上記制動コントローラ１０５４の出力を収集するとともに、データ記録を行い、上記浮上コントローラ１０５０、上記案内コントローラ１０５２及び上記制動コントローラ１０５４に対して一定の順に機能性テストを行う。
【００３３】
上記第１高圧直流電源給電キャビネット１０４２はそれぞれ、上記電磁石コントローラテスト台１０４０及び上記電磁石コントローラ制御キャビネット１０４４へ給電する。
【００３４】
上記電磁石コントローラテスト台１０４０は、上記車載コントローラ１０２４から送信された上記制御指令を受信するとともに、上記制御指令を上記浮上コントローラ１０５０、上記案内コントローラ１０５２、または上記制動コントローラ１０５４に送信することで、上記浮上コントローラ１０５０、上記案内コントローラ１０５２、または上記制動コントローラ１０５４が、上記電磁石試験台１０６に装着された、浮上電磁石１０６６、案内電磁石１０６８及び制動電磁石１０７０を含む電磁石を制御するためのものであり、磁気浮上列車の走行速度を模倣し、模倣して得た上記磁気浮上列車の走行速度を上記案内コントローラ１０５２に送信するためのものである。
【００３５】
上記負荷キャビネット１０４６は、電磁石コントローラの機能テストのために調整可能な負荷を提供するためのものである。
【００３６】
上記カットスイッチキャビネット１０４８は、テスト台信号と負荷とのオンオフを制御するためのものである。
【００３７】
図２に示す浮上コントローラの通信フローチャートを参照すれば、１つの実施形態において、上記制御指令が第１フローティング指令である場合、上記第１フローティング指令は、浮上電磁石１０６６とロングステータとの間のギャップ値を搬送している。
【００３８】
上記浮上コントローラ１０５０は、上記電磁石コントローラテスト台１０４０から送信された第１フローティング指令を受信した時に、ギャップ値と出力電圧との対応関係から、上記浮電磁石１０６６とロングステータとの間のギャップ値に対応する出力電圧を特定するとともに、特定された上記出力電圧に応じて上記カットスイッチキャビネット１０４８を介して上記電磁石試験台１０６の上記浮上電磁石１０６６へ給電することで、上記浮上電磁石１０６６と上記ロングステータとの間のギャップを、上記第１フローティング指令が搬送する上記浮上電磁石とロングステータとの間のギャップ値に到達させるためのものであり、上記浮上電磁石１０６６のフローティング時の速度、加速度及びギャップ値を取得するとともに、取得された上記浮上電磁石のフローティング時の速度、加速度及びギャップ値を上記車載コントローラ１０２４に送信するためのものである。
【００３９】
上記車載コントローラ１０２４は、上記浮上コントローラ１０５０から送信された上記浮上電磁石１０６６のフローティング時の速度、加速度及びギャップ値を受信した時に、上記浮上電磁石１０６６のフローティング時の速度、加速度及びギャップ値を上記中央制御ユニット１００に送信するためのものである。
【００４０】
ここでは、浮上コントローラ１０５０は、ギャップ値と出力電圧との対応関係を予め記憶していることができる。
【００４１】
上記浮上電磁石のフローティング時の速度、加速度及びギャップ値は、上記浮上電磁石に装着されたセンサによって収集されることができるので、浮上コントローラは、浮上電磁石に装着されたセンサから、フローティング時の浮上センサの速度、加速度及びギャップ値を取得できる。
【００４２】
図３に示す案内コントローラの通信フローチャートを参照すれば、１つの実施形態において、上記制御指令が第２フローティング指令である場合、上記第２フローティング指令は、案内電磁石１０６８とロングステータとの間のギャップ値を搬送している。
【００４３】
上記案内コントローラ１０５２は、上記電磁石コントローラテスト台１０４０から送信された第２フローティング指令を受信した時に、ギャップ値と出力電圧との対応関係から、上記案内電磁石１０６８とロングステータとの間のギャップ値に対応する出力電圧を特定するとともに、特定された上記出力電圧に応じて上記カットスイッチキャビネット１０４８を介して上記電磁石試験台１０６の上記案内電磁石１０６８へ給電することで、上記案内電磁石と上記ロングステータとの間のギャップを、上記第２フローティング指令が搬送する上記案内電磁石とロングステータとの間のギャップ値に到達するためのものであり、上記案内電磁石１０６８のフローティング時の速度、加速度及びギャップ値を取得するとともに、取得された上記案内電磁石１０６８のフローティング時の速度、加速度及びギャップ値を上記車載コントローラ１０２４に送信するためのものである。
【００４４】
上記車載コントローラ１０２４は、上記案内コントローラ１０５２から送信された上記案内電磁石１０６８のフローティング時の速度、加速度及びギャップ値を受信した時に、上記案内電磁石のフローティング時の速度、加速度及びギャップ値を上記中央制御ユニット１００に送信するためのものである。
【００４５】
ここでは、案内コントローラ１０５２は、ギャップ値と出力電圧との対応関係を予め記憶していることができる。
【００４６】
上記案内電磁石１０６８のフローティング時の速度、加速度及びギャップ値は、上記案内電磁石に装着されたセンサによって収集されることができるので、案内コントローラ１０５２は、案内電磁石１０６８に装着されたセンサから、フローティング時の案内センサの速度、加速度及びギャップ値を取得できる。
【００４７】
さらに、上記浮上コントローラ１０５０及び上記案内コントローラ１０５２はさらに、それぞれに着陸指令を実行することで、浮上電磁石１０６６及び案内電磁石１０６８がフローティング状態から初期状態に復帰することができ、上記浮上コントローラ１０５０及び上記案内コントローラ１０５２がそれぞれに着陸指令を実行するフローは、上記フローティング指令を実行するフローと類似し、ここでは贅言しない。
【００４８】
図４に示す制動コントローラの通信フローチャートを参照すれば、１つの実施形態において、上記制御指令が制動指令である場合、上記制動指令は、制動電磁石１０７０の制動レベルを搬送しており、
上記制動コントローラ１０５４は、上記電磁石コントローラテスト台１０４０から送信された制動指令を受信した時に、制動レベルと出力電圧との対応関係から、上記制動指令が搬送する制動レベルに対応する出力電圧を特定するとともに、特定された上記出力電圧に応じて上記カットスイッチキャビネット１０４８を介して上記電磁石試験台１０６の上記制動電磁石１０５４へ給電することで、上記制動電磁石１０７０が、上記制動指令が搬送する制動レベルに応じて制動するためのものであり、上記制動電磁石１０７０の制動時の速度、加速度及びギャップ値を取得するとともに、取得された上記制動電磁石１０７０の制動時の速度、加速度及びギャップ値を上記車載コントローラ１０２４に送信するためのものであり、
上記車載コントローラ１０２４は、上記制動コントローラから送信された上記制動電磁石のフローティング時の速度、加速度及びギャップ値を受信した時に、上記制動電磁石の制動時の速度、加速度及びギャップ値を上記中央制御ユニット１００に送信するためのものである。
【００４９】
ここでは、制動コントローラ１０５４は、制動レベルと出力電圧との対応関係を予め記憶していることができる。
【００５０】
上記制動電磁石１０７０のフローティング時の速度、加速度及びギャップ値は、上記制動電磁石１０７０に装着されたセンサによって収集されることができるので、制動コントローラ１０５４は、制動電磁石１０７０に装着されたセンサから、フローティング時の制動センサの速度、加速度及びギャップ値を取得できる。
【００５１】
電磁石をテストするために、上記電磁石試験台１０６は、電磁石取付台１０６０、第２高圧直流電源給電キャビネット１０６２、電磁石制御キャビネット１０６４、浮上電磁石１０６６、案内電磁石１０６８及び制動電磁石１０７０を含むことができ、
上記電磁石制御キャビネット１０６４はそれぞれ、上記電磁石取付台１０６０及び上記第２高圧直流電源給電キャビネット１０６２に接続し、上記第２高圧直流電源給電キャビネット１０６２は上記電磁石取付台１０６０に接続し、上記浮上電磁石１０６６、上記案内電磁石１０６８及び上記制動電磁石１０７０は、上記電磁石取付台１０６０に装着される。
【００５２】
上記電磁石制御キャビネット１０６４は、テスト過程における上記浮上電磁石１０６６、上記案内電磁石１０６８及び上記制動電磁石１０７０のモニタリング情報を取得するとともに、取得されたモニタリング情報を上記中央制御ユニット１００に送信するためのものであり、上記第２高圧直流電源給電キャビネット１０６２を、上記電磁石取付台１０６０の上記浮上電磁石１０６６、上記案内電磁石１０６８及び上記制動電磁石１０７０へ給電するように制御するためのものである。
【００５３】
前記モニタリング情報は、浮上電磁石とロングステータとの間のギャップ値、案内電磁石とロングステータとの間のギャップ値、列車速度、加速度、電磁石両端の電圧及び電流を含む。
【００５４】
上記電磁石取付台１０６０は、電磁石コントローラテスト台１０４０と電気的に接続された電気接続インターフェースが設けられるから、上記電磁石コントローラテスト台１０４０との間の電気接続インターフェースを通じて、電磁石コントローラから送られた、電磁石をテストするための制御指令を受信できる。
【００５５】
第２高圧直流電源給電キャビネット１０６２は、電磁石のテストのために電源を提供するためのものである。
【００５６】
上記の、車載コントローラ１０２４、電磁石コントローラ及び電磁石に対して共同テストを行うこと以外に、本実施例により提出される磁気浮上テストシステムによって、さらに、それぞれに車載コントローラ、電磁石コントローラ及び電磁石をテストすることができる。
【００５７】
本実施例はさらに、磁気浮上テストシステムを適用してそれぞれに浮上電磁石、案内電磁石、及び制動電磁石を制御する電磁石テスト方法をそれぞれに提出した。
【００５８】
１つの実施形態において、浮上電磁石を制御するために、上記電磁石テスト方法は、以下のステップ（１）〜ステップ（３）を実行でき、即ち、
（１）浮上コントローラによって、電磁石コントローラテスト台から送信された、浮上電磁石とロングステータとの間のギャップ値を搬送している第１フローティング指令を受信することと、
（２）ギャップ値と出力電圧との対応関係から、上記浮上電磁石とロングステータとの間のギャップ値に対応する出力電圧を特定するとともに、上記の特定された出力電圧に応じて上記カットスイッチキャビネットを介して上記電磁石試験台の上記浮上電磁石へ給電することで、上記浮上電磁石と上記ロングステータとの間のギャップを、上記第１フローティング指令が搬送する上記浮上電磁石とロングステータとの間のギャップ値に到達させることと、
（３）上記浮上電磁石のフローティング時の速度、加速度及びギャップ値を取得するとともに、取得された上記浮上電磁石のフローティング時の速度、加速度及びギャップ値を車載コントローラに送信することと、である。
【００５９】
１つの実施形態において、案内電磁石を制御するために、上記電磁石テスト方法は、以下のステップ（１）〜ステップ（３）を実行でき、即ち、
（１）案内コントローラによって、電磁石コントローラテスト台から送信された、案内電磁石とロングステータとの間のギャップ値を搬送している第２フローティング指令を受信することと、
（２）ギャップ値と出力電圧との対応関係から、上記案内電磁石とロングステータとの間のギャップ値に対応する出力電圧を特定するとともに、特定された上記出力電圧に応じて上記カットスイッチキャビネットを介して上記電磁石試験台の上記案内電磁石へ給電することで、上記案内電磁石と上記ロングステータとの間のギャップを、上記第２フローティング指令が搬送する上記案内電磁石とロングステータとの間のギャップ値に到達させることと、
（３）上記案内電磁石のフローティング時の速度、加速度及びギャップ値を取得するとともに、取得された上記案内電磁石のフローティング時の速度、加速度及びギャップ値を車載コントローラに送信することと、である。
【００６０】
１つの実施形態において、制動電磁石を制御するために、上記電磁石テスト方法は、以下のステップ（１）〜ステップ（３）を実行でき、即ち、
（１）制動コントローラによって、電磁石コントローラテスト台から送信された、制動電磁石の制動レベルを搬送している制動指令を受信することと、
（２）制動レベルと出力電圧との対応関係から、上記制動指令が搬送する制動レベルに対応する出力電圧を特定するとともに、特定された上記出力電圧に応じて上記カットスイッチキャビネットを介して上記電磁石試験台の上記制動電磁石へ給電することで、上記制動電磁石が、上記制動指令が搬送する制動レベルに応じて制動することと、
（３）上記制動電磁石の制動時の速度、加速度及びギャップ値を取得するとともに、取得された上記制動電磁石の制動時の速度、加速度及びギャップ値を車載コントローラに送信することと、である。
【００６１】
上述のように、本実施例により提出される磁気浮上試験システム及び電磁石テスト方法は、車載コントローラ試験台、電磁石コントローラ試験台及び電磁石試験台が集積された磁気浮上テストシステムによって、車載コントローラ、電磁石コントローラ及び電磁石に対して共同テストを行い、関連技術において車載コントローラ、電磁石コントローラ及び電磁石をテストできないことと比較すると、列車の運転状況を模倣できるとともに、模倣された列車の運転状況で車載コントローラ、電磁石コントローラ及び電磁石に対して共同テストを行い、これにより、車載コントローラ、電磁石コントローラ及び電磁石に対して機能検証を行い、車載コントローラ、電磁石コントローラ及び電磁石が同時に使用される時の故障率を下げる。
【００６２】
上述のことは、本発明の具体的な実施形態だけであるが、本発明の保護範囲はこれに限定されておらず、本技術的分野に精通しているいずれの当業者は、本発明から開示された技術的範囲内に、変更や交換を容易に想到でき、いずれも本発明の保護範囲内に含まれるべきである。
【符号の説明】
【００６３】
１００    中央制御ユニット
１０２    車載コントローラ試験台
１０４    電磁石コントローラ試験台
１０６    電磁石試験台
１０２０  車載コントローラ試験台制御キャビネット
１０２２  車載コントローラ取付台
１０２４  車載コントローラ
１０４０  電磁石コントローラテスト台
１０４２  第１高圧直流電源給電キャビネット
１０４４  電磁石コントローラ制御キャビネット
１０４６  負荷キャビネット
１０４８  カットスイッチキャビネット
１０５０  浮上コントローラ
１０５２  案内コントローラ
１０５４  制動コントローラ
１０６０  電磁石取付台
１０６２  第２高圧直流電源給電キャビネット
１０６４  電磁石制御キャビネット
１０６６  浮上電磁石
１０６８  案内電磁石
１０７０  制動電磁石
【図１】
2021518918.tif 000003
【図２】
2021518918.tif 000004
【図３】
2021518918.tif 000005
【図４】
2021518918.tif 000006
【手続補正書】
【提出日】令和2年10月23日(2020.10.23)
【手続補正１】
【補正対象書類名】明細書
【補正対象項目名】００４８
【補正方法】変更
【補正の内容】
【００４８】
図４に示す制動コントローラの通信フローチャートを参照すれば、１つの実施形態において、上記制御指令が制動指令である場合、上記制動指令は、制動電磁石１０７０の制動レベルを搬送しており、
上記制動コントローラ１０５４は、上記電磁石コントローラテスト台１０４０から送信された制動指令を受信した時に、制動レベルと出力電圧との対応関係から、上記制動指令が搬送する制動レベルに対応する出力電圧を特定するとともに、特定された上記出力電圧に応じて上記カットスイッチキャビネット１０４８を介して上記電磁石試験台１０６の上記制動電磁石１０７０へ給電することで、上記制動電磁石１０７０が、上記制動指令が搬送する制動レベルに応じて制動するためのものであり、上記制動電磁石１０７０の制動時の速度、加速度及びギャップ値を取得するとともに、取得された上記制動電磁石１０７０の制動時の速度、加速度及びギャップ値を上記車載コントローラ１０２４に送信するためのものであり、
上記車載コントローラ１０２４は、上記制動コントローラから送信された上記制動電磁石の制動時の速度、加速度及びギャップ値を受信した時に、上記制動電磁石の制動時の速度、加速度及びギャップ値を上記中央制御ユニット１００に送信するためのものである。
【手続補正２】
【補正対象書類名】明細書
【補正対象項目名】００５０
【補正方法】変更
【補正の内容】
【００５０】
上記制動電磁石１０７０の制動時の速度、加速度及びギャップ値は、上記制動電磁石１０７０に装着されたセンサによって収集されることができるので、制動コントローラ１０５４は、制動電磁石１０７０に装着されたセンサから、制動時の制動センサの速度、加速度及びギャップ値を取得できる。
【国際調査報告】
2021518918.tif 000007
2021518918.tif 000008
2021518918.tif 000009
2021518918.tif 000010